(57)【要約】【課題】従来の電卓における不便を改善し、使用開始時における、電源を入れるためのキー等を探して操作するという２つの手順をなくして容易かつ迅速に四則計算を開始することができる電源キーなし電卓を提供することを目的とする。【解決手段】数値演算用のテンキー、演算子キー、カーソルキー、クリアキー、ルートキー、パーセントキー及びメモリー機能に関するキーを備えてなり、電源オフの状態において、備えられたキーのいずれかを押圧する操作によって、電源オンの状態になる電源キーなし電卓により課題を解決した。【選択図】　　　図１
0003098250.tif 000002
【実用新案登録請求の範囲】
【請求項１】
数値演算用のテンキー、演算子キー、カーソルキー、クリアキー、ルートキー、パーセントキー及びメモリー機能に関するキーを備えてなる電源キーなし電卓であって、電源オフの状態において、備えられたキーのいずれかを押圧する操作によって、電源オンの状態になる電源キーなし電卓。
【請求項２】
前記押圧する操作が数値演算用のテンキーのいずれかを押圧する操作である場合には、さらに、その押圧した数値演算用のテンキーに対応する数字を画面表示部に表示させ、四則計算の演算処理を可能にすることを特徴とする請求項１に記載の電源キーなし電卓。
【考案の詳細な説明】
【０００１】
【考案の属する技術分野】
本考案は、数値演算用のテンキー、演算子キー、カーソルキー、クリアキー、ルートキー、パーセントキー及びメモリー機能に関するキーを備えてなり、電源オフの状態において、備えられたキーのいずれかを押圧する操作によって、電源オンの状態となる電源キーなし電卓に関するものである。
【０００２】
【従来の技術】
従来の電卓には、電卓のパネル面に、電源オフの状態から電源オンの状態にするためのキー等が設けられ、このキー等の押圧などの操作によって、電卓が電源オフの状態から電源オンの状態となり、その後、数値演算用のテンキーを押圧すると、押圧されたテンキーに対応する数字が画面に表示され、四則計算が可能となる。
【０００３】
【考案により解決しようとする課題】
しかし、従来の電卓では、電源オフの状態から四則計算を開始するためには、電源オフの状態から電源オンの状態にするためのキー等を探し、その後見つかったキー等を操作して電源オンの状態にするという２つの手順を経なければならず、不便であるという問題点がある。
【０００４】
また、従来の電卓では、電卓を使用するユーザが、電源を入れるためのキー等を探すために手間取ったり、電源を入れるためのキー等の操作を誤るおそれもある。
【０００５】
それ故、キー等を探して操作するという２つの手順を省略することができれば、電卓の使用開始時における操作手順の簡略化を図ることができ、その結果として、電卓の使用開始までに要する時間を短縮し、節約することができるため、非常に便利である。
【０００６】
そこで、本考案は、従来の電卓における不便を改善し、使用開始時における、電源を入れるためのキー等を探して操作するという２つの手順をなくして容易かつ迅速に四則計算を開始することができる、電源キーなし電卓を提供することを目的とするものである。
【０００７】
【課題を解決するための手段】
本考案者は、前記課題を解決すべく、鋭意研究を重ねた結果、前記従来の問題点を解決することができること見い出し、本考案を完成した。
【０００８】
即ち、本考案は、数値演算用のテンキー、演算子キー、カーソルキー、クリアキー、ルートキー、パーセントキー及びメモリー機能に関するキーを備えてなり、電源オフの状態において、備えられたキーのいずれかを押圧する操作によって、電源オンの状態にする電源キーなし電卓である。
【０００９】
この考案の好適形態においては、上記押圧する操作が数値演算用のテンキーのいずれかを押圧する操作である場合には、さらに、その押圧した数値演算用のテンキーに対応する数字を画面表示部に表示させ、四則計算の演算処理を可能にするものである。
【００１０】
【考案の実施の形態】
以下、添付図面を参照して本考案の好ましい実施の形態を説明する。
【００１１】
本考案の電源キーなし電卓は、数値演算用のテンキー、演算子キー、カーソルキー、クリアキー、ルートキー、パーセントキー及びメモリー機能に関するキーを備えてなる。
【００１２】
図１は、電源キーなし電卓の一例における入力操作に伴う表示状態を示す図である。
【００１３】
電源キーなし電卓１の表面には、数値演算用のテンキー１０、演算子キー１１、カーソルキー１２、クリア（Ｃ）キー１３、ルートキー１４、パーセントキー１５、メモリー機能に関するキーが備えられている。
【００１４】
数値演算用のテンキー１０は、１〜０の１０つのキー及び小数点キーから構成されている。
【００１５】
演算子キー１１は、四則演算（＋、−、×、÷）キー及びイコール（＝）キーから構成されている。イコールキーを押すと、自動的に四則計算の結果が液晶３０に表示される。
【００１６】
カーソルキー１２は、液晶３０に表示された数字の一部を修正するときに使用される。
【００１７】
クリアキー１３は、液晶３０に表示された数字を消したり、一時的に記憶された数字を消去するときに使用される。ここで、クリアーキー１３を１回押すと、液晶３０から表示された数字が消去され、液晶３０には「０」が表示されるが、以前の計算結果の数字は一時的に記憶されている状態となる。クリアーキー１３を２回押すと、この一時的に記憶された数字も消去される。
【００１８】
ルートキー１４は、平方根の計算のときに使用され、パーセントキー１５は、百分率の計算のときに使用される。
【００１９】
メモリー機能に関するキーは、Ｍキー１６、Ｍ＋キー１７、Ｍ−キー１８、ＭＣキー１９、ＭＲキー２０から構成されている。なお、Ｍキー１６は、メモリデータの内容確認を行なう際に操作される。Ｍ＋キー１７は、任意の数値データをメモリデータとして加算入力する際に操作される。Ｍ−キー１８は、任意の数値データをメモリデータとして減算入力する際に操作される。ＭＣキー１９は、メモリデータを消去する際に操作される。ＭＲキー２０は、メモリデータを被演算数として使用する際に操作される。
【００２０】
図２は、本考案の電源キーなし電卓におけるシステムの一例を示すブロック図である。
【００２１】
入力部２には、数値演算用のテンキー、演算子キー、カーソルキー、クリア（Ｃ）キー、ルートキー、パーセントキー、メモリー機能に関するキーが備えられる。
【００２２】
入力制御部３は、入力部２とＣＰＵ４の間にあり、入力部２を制御する。
【００２３】
ＣＰＵ４では、主に演算や各制御部への指示、メモリへの読み書きなどを行う。
【００２４】
ＲＡＭ５には、ＣＰＵ４による演算制御動作に応じて、キー入力された被演算数としての数値データや演算結果数値データ等が必要に応じて記憶される。また、ＲＡＭ５には、入力部２において置数された最新の数値データが記憶され、Ｍ＋キー１７やＭ−キー１８の操作に応じて入力された数値データがメモリデータとして記憶される。
【００２５】
ＲＯＭ６には、ＣＰＵ４における制御動作を司る演算制御プログラムや表示制御プログラムが記憶され、データが格納されている。
【００２６】
表示部８では、計算結果や各種情報を表示する。なお、表示部８には、入力部２によるキー入力操作に応じた演算数値データや演算子マーク、そして、ＲＡＭ５にメモリデータが存在する場合には、メモリデータ有りを示す「Ｍ」が表示される。
【００２７】
表示制御部７では、ＣＰＵ４からの指示に従い、表示部８を制御する。
【００２８】
本考案の電源キーなし電卓は、各種状態を記録するため、ボタン型電池で作動する方が好ましいが、ソーラー電池で作動するものであってもよい。
【００２９】
次に、本考案の電源キーなし電卓について、使用開始から電源オフの状態、電源オフの状態から電源オンの状態、電源オンから四則計算の演算処理までの過程の一例を図３のフローチャートに基づいて説明する。
【００３０】
まず、電源キーなし電卓１にボタン型電池を入れると、システムの初期化が行われ（ステップ１０１）、ＣＰＵ４からの指示に従い、表示制御部７で表示部８が制御され（ステップ１０２）、液晶３０に数字「０」が表示される。
【００３１】
次に、主動作に移行し、四則演算が可能な状態になり（ステップ１０３）、その後、キーのイベント待機の状態になる（ステップ１０４）。
【００３２】
キーの押圧により、入力部２から入力制御部３に指令が送られ、ＣＰＵ４において、その指令に応じ、メモリへの読み書きなどや四則演算を行い、四則演算の結果や各種情報を表示部８に表示するよう表示制御部７に対する指令が送られて、表示部８において、四則演算の結果や各種情報が表示され、キーイベントが遂行される（ステップ１０６）。
【００３３】
その後、キーの押圧を検知しないとイベント待機の状態が続く（ステップ１０４）が、イベント待機の状態が６分続くと、オン／オフ・イベントが出され（ステップ１０５）、ＣＰＵ４は、各種状態の設定を検知し、その各種情報をＲＡＭ５に記録し（ステップ１０７）、電卓１の電源がオートパワーオフ機能（自動電源遮断）によって、電源オフの状態になる（ステップ１０８）。
【００３４】
電源キーなし電卓１が電源オフの状態であっても、メモリ上の情報が消えないようにするため、回路全体には、微弱電流が流れる。
【００３５】
電源キーなし電卓１が電源オフの状態において、備えられたキーのいずれかを押圧すると、入力部２から入力制御部３に指令が送られ、ＣＰＵ４がキー押圧の検知をすると（ステップ１０９）、電源キーなし電卓１が電源オンの状態となり、ＣＰＵ４からの指示に従い、表示制御部７で表示部８が制御される（ステップ１０２）。
【００３６】
ここで、数値演算用のテンキー１０が押圧された場合には、その押圧したテンキーに対応する数字が表示部８の液晶３０に表示され、数値演算用のテンキー以外のキー１１〜２０が押圧された場合には、数字「０」が表示部８の液晶３０に表示され、いずれの場合においても、主動作に移行し、四則演算が可能な状態になり（ステップ１０３）、その後、キーのイベント待機の状態になる（ステップ１０４）。
【００３７】
従って、本考案の電源キーなし電卓１が電源オフの状態にある場合、例えば、数値演算用のテンキー中の「９」と表示されたキーを押すと、電卓が電源オンの状態となると同時に、液晶３０に「９」が表示され、その後、演算子キー１１中の「×」と表示されたキー、数値演算用のテンキー中の「６」と表示されたキー、演算子キー１１中の「＝」と表示されたキーを続けて押すと、液晶３０には、計算結果「５４」が表示される。
【００３８】
それ故、本考案の電源キーなし電卓において、電源オフの状態から計算を開始する場合には、電源を入れるためのキー等を探し、その後見つかったキー等を操作して電源オンの状態にするという２つの手順を省略することができる。
【００３９】
【考案の効果】
本考案により、電源オフの状態から計算を開始する場合における、電源を入れるためのキー等を探し、その後見つかったキー等を操作して電源オンの状態にするという２つの手順を省略することができ、その結果、電卓の使用開始までに要する時間を短縮し、節約することができる利点がある。
【００４０】
また、本考案により、従来あった、電卓を使用するユーザが、電源を入れるためのキー等を探すために手間取ったり、電源を入れるためのキー等の操作を誤るというおそれがなくなるという利点もある。
【図面の簡単な説明】
【図１】本考案の電源キーなし電卓の一例における入力操作に伴う表示状態を示す図。
【図２】本考案の電源キーなし電卓におけるシステムの一例を示すブロック図。
【図３】本考案の電源キーなし電卓における使用開始から電源オフの状態、電源オフの状態から電源オンの状態、電源オンから四則計算の演算処理までの過程の一例を示すフローチャート。
【符号の説明】
１　電源キーなし電卓
２　入力部
３　入力制御部
４　ＣＰＵ
５　ＲＡＭ
６　ＲＯＭ
７　表示制御部
８　表示部
１０　数値演算用のテンキー
１１　演算子キー
１２　カーソルキー
１３　クリア（Ｃ）キー
１４　ルートキー
１５　パーセントキー
１６　Ｍキー
１７　Ｍ＋キー
１８　Ｍ−キー
１９　ＭＣキー
２０　ＭＲキー
３０　液晶
【図１】
0003098250.tif 000003
【図２】
0003098250.tif 000004
【図３】
0003098250.tif 000005